(57)【要約】【課題】カバーをスライドさせて開閉させる掛金を提供すること。【解決手段】電子装置の基盤に対してカバーをスライドさせて開閉する掛金は、基盤と、滑り部材と、スプリングと、回転部材とを有する。基盤はそこから突出する２つの長手方向側部を平行に形成している。２つの回転突起が前記２つの長手方向側部から突出して平行に形成され、各側部はガイドエッジと、傾斜エッジと、頂点とを有する。滑り部材は基盤上に滑動可能に取り付けられている。スプリングは基盤に取り付けられ、滑り部材に接触している。回転部材は基盤の２つの回転突起の両ガイドエッジの間で、滑り部材に回転可能に取り付けられている。本掛金は、電子装置に蝶番を取り付けることなく、基盤に対してカバーを開閉させることができる。【選択図】  図１
0003135798.tif 000002
【実用新案登録請求の範囲】
【請求項１】
基盤と、滑り部材と、スプリングと、回転部材とを備える掛金であって、前記基盤は
２つの端部と、
2つのエッジと、
それぞれ前記両エッジに平行に、且つ前記両エッジから突出して形成された２つの長手方向の側部であって、それぞれが底部と頂部とを有する側部と、
それぞれが長手方向側部の頂面に平行に、且つ両長手方向側部の頂面から突出して形成された２つの回転突起とを備え、
前記回転突起の各々は、ガイドエッジと、傾斜エッジと、頂点とを有し、
前記ガイドエッジの一方は、前記基盤の長手方向側部から間隔をおいて突出し、他方のガイドエッジから横断距離W1だけ間隔をおき、
前記傾斜エッジは、前記長手方向側部及び前記ガイドエッジから２つの鋭角でそれぞれ形成され、
前記頂点の一方は、前記ガイドエッジと傾斜エッジとの間に形成され、他方の頂点から長手方向間隔L1だけ間隔をおいた回転突起と、
前記滑り部材は、前記基盤にスライド可能に取り付けられ、少なくとも２つの端部を有し、
前記スプリングは、基盤に取り付けられ、2つの端部を有し、その一方の端部は前記滑り部材に当接し、
前記回転部材は、前記基盤の両回転突起の両ガイドエッジの２つのガイドエッジの間で前記滑り部材に回転可能に取り付けられ、
中心と、
２つの外縁と、
４つの内縁と、
４つのコーナーと、
2つの屈曲部とを有する回転部材とを有する回転部材と
を含む掛金。
【請求項２】
前記回転部材の外縁は、相互に平行に対向し、さらに幅W2だけ間隔をおき、L1より小さくW1より大きい、等しい長さ寸法L2を有し、
前記４つの内縁は、前記回転部材からさらに対をなして凹み、両外縁の間にV字形をなす前記２つの屈曲部を形成し、
屈曲軸は前記２つの屈曲部に隣接し前記屈曲部を通して延びるように形成され、
屈曲軸とその隣接するコーナーとの間に垂直に規定される距離W3はL2より小さく、W2より小さいW1より小さい、請求項１に記載の掛金。
【請求項３】
前記回転部材の中心は前記回転部材の一方のエッジにより近接し、前記掛金の少なくとも両エッジのうち他方のエッジより遠い、請求項２に記載の掛金。
【請求項４】
前記回転突起のガイドエッジは、長手方向側部に平行であり、前記傾斜エッジと長手方向側部との間の２つの鋭角は相互に等しい、請求項２に記載の掛金。
【請求項５】
前記回転突起のガイドエッジは長手方向側部に平行であり、前記傾斜エッジと長手方向側部との間の２つの鋭角は相互に等しい、請求項３に記載の掛金。
【請求項６】
前記２つの軌道は、基盤の長手方向側部の底部にそれぞれ形成され、相互に対向し、
前記滑り部材の両エッジはそれぞれ前記２つの軌道を滑る、請求項４に記載の掛金。
【請求項７】
前記２つの軌道は、基盤の長手方向側部の底部にそれぞれ形成されて、相互に対向し、
前記滑り部材のエッジはそれぞれ前記２つの軌道を滑る、請求項５に記載の掛金。
【請求項８】
前記基盤の一端は、さらに、
スプリングの一端に接続され、前記基盤の一端に形成され突出するスプリング台と、
前記スプリング台の対向する端部に形成されて突出する留め金とを含む、請求項６に記載の掛金。
【請求項９】
前記基盤の一端は、さらに、
前記スプリングの一端に接続され、前記基盤の一端に形成されて突出するスプリング台と、前記スプリング台に対向する端部に形成されて突出する留め金とを含む、請求項７に記載の掛金。
【請求項１０】
前記滑り部材は、さらに、貫通穴を含み、
前記回転部材は、さらに、その中心と前記滑り部材の貫通穴とを介して取り付けられた軸棒とを含む、請求項８に記載の掛金。
【請求項１１】
前記滑り部材は、さらに、それを貫通する貫通穴を含み、
前記回転部材は、さらに、その中心を貫通して取り付けられた軸棒を含む、請求項９に記載の掛金。
【考案の詳細な説明】
【技術分野】
【０００１】
本考案は掛金に関し、より詳細には、電子装置に取り付けられる掛金に関する。この掛金は、カバーを開閉するために前記電子装置の基盤に対して滑らせて使用される。
【背景技術】
【０００２】
電子装置は基盤に取り付けられたカバーを備える。小型電子装置、例えば、携帯電話や電子手帳は、さらに、カバーや前記基盤の上のキーパッドとしての画面をも含む。この電子装置の長さ寸法を減じるため、カバーは前記基盤の上に取り付けられる。カバーと基盤との間には、カバーを枢動可能に開閉できるように、通常蝶番が取り付けられている。それ故、従来の蝶番を使用せずに電子装置に対してカバーを移動させる別の方法が必要となる。
【考案の開示】
【考案が解決しようとする課題】
【０００３】
本考案の目的は、電子装置の基盤に対してカバーを滑らせて開閉する掛金を提供することである。
【課題を解決するための手段】
【０００４】
これを達成するため、掛金は基盤と、滑り部材と、スプリングと回転部材とを含む。基盤は、その上に平行に形成され基盤から突出する２つの長手方向側部を有する。２つの回転突起がこの２つの長手方向側部に平行に、前記側部から突出するように形成されている。この２つの長手方向側部のそれぞれはガイドエッジと、傾斜エッジと頂点とを有する。滑り部材は基盤の上にスライド可能に取り付けられている。スプリングが基盤上に取り付けられ、前記滑り部材に接触する。回転部材は、基盤の前記２つの回転突起の両ガイドエッジの間で滑り部材に回転可能に取り付けられている。本考案は、電子装置に蝶番を取り付けることなく、基盤に対してカバーを開閉させることができる。
【考案を実施するための最良の形態】
【０００５】
図１から４を参照するに、本考案による掛金は、基盤１０，滑り部材２０，スプリング30及び回転部材４０を含む。
【０００６】
基盤１０は２つの端部、２つのエッジ、２つの長手方向側部１０１、２つの回転突起１３のほか、スプリング台１４、留め金１２及び２つの軌道を有する。
【０００７】
長手方向側部１０１は、基盤１０に平行であり、基盤１０の両エッジからそれぞれ突出し、各側部は底部と頂部とを有する。
【０００８】
回転突起１３は、２つの長手方向側部１０１の頂面に平行に形成され、そこから突出し、各側部はガイドエッジ１３０と、傾斜エッジと、頂点１３２とを含む。
【０００９】
回転突起１３のガイドエッジ１３０は、基盤１０の長手方向側部１０１からある長さだけ突出し、他方のガイドエッジ１３０から横方向距離W1だけ間隔をおいている。回転突起１３のガイドエッジ１３０は、長手方向側部１０１に平行である。
【００１０】
傾斜エッジ１３１は、それぞれ長手方向側部１０１とガイドエッジ１３０とから、２つの鋭角で形成されている。前記傾斜エッジと長手方向側部と、ガイドエッジとの間の２つの鋭角は相互に等しい。
【００１１】
頂点１３２は、ガイドエッジ１３０と傾斜エッジ１３１との間に形成され、他の頂点１３２からは長手方向距離L1だけ隔てられている。
【００１２】
スプリング台１４は、基盤１０の一端から突出して形成されている。留め金１２はスプリング台１４に対向する基盤の端部から突出して形成されている。
【００１３】
軌道１１は、基盤１０の長手方向側部１０１の底部にそれぞれ形成され、相互に対向している。
【００１４】
滑り部材２０は、基盤１０にスライド可能に取り付けられ、少なくとも２つのエッジを有する。滑り部材２０の前記少なくとも２つのエッジは、それぞれ軌道１１でスライドする。滑り部材２０には、貫通穴２１を形成してもよい。
【００１５】
スプリング３０は、基盤１０に取り付けられ、スプリング台１４にそれぞれ接続された２つの端部を有し、両端部は、滑り部材２０に接触して滑り部材２０をスプリング台１４から離れるように押す。
【００１６】
回転部材４０は、基盤１０の２つの回転突起１３の両ガイドエッジ１３０の間で、滑り部材２０に回転可能に取り付けられ、スプリング台１４と留め金１２の間で滑動可能であり、中心と、２つの外縁４０１と、４つの内縁４２１，と４つのコーナー４２２と、２つの屈曲部４２３とを有し、軸棒４１を含むことができる。
【００１７】
回転部材４０の両外縁４０１は、互いに平行に幅寸法Ｗ２だけ隔てられて対向し、等しい長さ寸法Ｌ２を有する。頂点１３２とガイドエッジ１３０との間の間隔に比較すると、Ｌ２はＬ１より小さく、Ｌ２はＷ１より大きい。
【００１８】
内縁４２は、対をなして回転部材４０から凹み、２つの外縁の間でＶ字形に屈曲部４２３を形成している。
【００１９】
屈曲軸４２は、屈曲部４２３に隣接し、屈曲部４２３を通して伸びている。
【００２０】
前記屈曲軸と隣接するコーナー４２１との間には、距離Ｗ３が垂直に規定されている。
【００２１】
基盤のガイドエッジ１３２同士の間隔に比較すると、Ｌ２はＷ３より大きく、Ｗ２はＷ１より大きく、Ｗ１はＷ３より大きい。
【００２２】
軸棒４１は、回転部材４０の中心と滑り部材２０の貫通穴２１とを貫通している。
【００２３】
回転部材４０の中心は、滑り部材２０の一方の端部の方に近接し、他方の端部から遠い。
【００２４】
図５、６を参照するに、本考案の掛金は電子装置の内側に取り付けられ、基盤６０に対してカバー５０をスライドさせることができる。基盤６０の頂部でカバー５０を閉じると、スプリング３０が滑り部材２０によって締め付けられ、スプリング台１４から遠く傾斜エッジ１３１に最も近い回転部材４０の内縁４２が、回転部材４０の屈曲部４２３に接触する回転突起１３の頂点１３２を備える同じ屈曲部４２３に接触する。そのため、回転部材４０は回転突起１３によって保持され、スプリング３０は滑り部材２０を押しつけ、電子装置を閉じた状態に保持する。
【００２５】
図７及び８を参照するに、この電子装置を使用したいときは、電子装置のカバー５０を移動させると、回転部材４０が、スプリング台１４により近接した回転突起１３の頂点１３２に接触するまで回転突起１３から離れる方向にスライドする。前記頂点は回転突起の外縁４０１に接触し、外縁４０１がスプリング台１４からより遠い回転突起１３の内縁１３１の位置に一致するまで回転突起４０を回転させる。
【００２６】
さらに図９及び１０を参照するに、この方向において、スプリング３０は滑り部材２０をスプリング台１４から離れるように押し、回転部材の外縁４０１は、スプリング台１４からより遠い回転突起１３の頂点１３２に接触して、外縁４０１がガイドエッジ１３０と平行になるまで回転し、滑り部材２０をして、留め金１２によって止められカバー５０が開くまで、回転突起１３を通過させる。
【００２７】
さらに図１２及び１３を参照するに、カバー５０を閉じたいときは、滑り部材２０がスプリング台１４の方へスライドするようにカバー５０をスライドさせる。回転部材４０の内縁４２はスプリング台１４により近接した回転突起１３の頂点１３２に接触し、回転部材の内縁４２１を同じ回転突起１３の傾斜エッジ１３２に平行に整列させる。
【００２８】
スプリング３０は、回転部材４０の内縁４２が、スプリング台１４からより離れた回転突起１３の傾斜エッジ１３１に接触し保持されるように、スプリング台１４から離れる方向に滑り部材を押す。電子装置の上部カバー５０は基盤６０に対して閉じられる。
【図面の簡単な説明】
【００２９】
【図１】本考案による掛金の斜視図。
【図２】図１における掛金の分解斜視図。
【図３】図１における掛金の正面図。
【図４】図１における掛金の滑り部材と回転部材の正面図。
【図５】図１における掛金の動作正面図。
【図６】図１における掛金が内部に取り付けられたスライド開閉電子装置の動作側面図。
【図７】回転中の回転部材を示す図１の掛け金の動作側面図。
【図８】カバーが開くところを示す、図６におけるスライド開閉式電子装置の動作側面図。
【図９】滑り部材の開いた状態を示す図１における掛金の動作正面図。
【図１０】掛金の開いた状態を示す、図１の掛金の動作正面図。
【図１１】図６におけるスライド開閉式電子装置の開いた状態を示す動作側面図。
【図１２】図１における掛け金の閉じた状態を示す動作側面図。
【図１３】図６におけるスライド開閉式電子装置の閉じる状態を示す動作側面図。
【符号の説明】
【００３０】
１０    基盤
１２    留め金
１４    スプリング台
２０    滑り部材
３０    スプリング
４０             回転部材
【図１】
0003135798.tif 000003
【図２】
0003135798.tif 000004
【図３】
0003135798.tif 000005
【図４】
0003135798.tif 000006
【図５】
0003135798.tif 000007
【図６】
0003135798.tif 000008
【図７】
0003135798.tif 000009
【図８】
0003135798.tif 000010
【図９】
0003135798.tif 000011
【図１０】
0003135798.tif 000012
【図１１】
0003135798.tif 000013
【図１２】
0003135798.tif 000014
【図１３】
0003135798.tif 000015